(57)【要約】【課題】乗場からピット悌子への移動を簡易にできるエレベーターのピット梯子装置を得る。【解決手段】昇降路ピット２に収納され、複数の踏段５が設けられた梯子昇降面を最下階の乗場出入口１面と直交するように配置されたピット梯子４と、昇降路ピットの床面３に設けられ、ピット梯子の一端部を回動自在に支持する回動支持部６と、ピット梯子の他端部に前記踏段と平行に設けられ、要時に最下階の乗場出入口方向に移動して乗場出入口上に載置係合する梯子ストッパー部材８とを備える。【選択図】図２
2007276959.tif 000002
【特許請求の範囲】
【請求項１】
昇降路ピットに収納され、複数の踏段が設けられた梯子昇降面を最下階の乗場出入口面と直交するように配置されたピット梯子と、
前記昇降路ピットの床面に設けられ、前記ピット梯子の一端部を回動自在に支持する回動支持部と、
前記ピット梯子の他端部に前記踏段と平行に設けられ、要時に前記最下階の乗場出入口方向に移動して前記乗場出入口上に載置係合する梯子ストッパー部材と、
を備えたことを特徴とするエレベーターのピット梯子装置。
【請求項２】
昇降路ピットに収納され、複数の踏段が設けられた梯子昇降面を最下階の乗場出入口面と直交するように配置されたピット梯子と、
前記昇降路ピットの床面に設けられ、前記ピット梯子の一端部を回動自在に支持する回動支持部と、
前記最下階の乗場の下部に収納され、要時に前記昇降路側に突出するように移動されて前記ピット梯子の他端部を載置係合する梯子ストッパー部材と、
を備えたことを特徴とするエレベーターのピット梯子装置。
【請求項３】
ピット梯子の他端部と最下階の乗場出入口下部との間に設けられ、要時に昇降路ピットの床面に寝かせた状態の前記ピット梯子の他端部をピット床面から最下階の乗場出入口に引き上げる引き上げ部材を備えたことを特徴とする請求項１又は請求項２記載のエレベーターのピット梯子装置。
【請求項４】
最下階の乗場出入口の下部に収納される梯子ストッパー部材は、一端が回動自在に支持されており、該梯子ストッパー部材の他端に取手を設けたことを特徴とする請求項２記載のエレベーターのピット梯子装置。
【請求項５】
最下階の乗場出入口の下部に収納される梯子ストッパー部材は、一端が回動自在に支持されており、該梯子ストッパー部材には回動を助けるための弾性部材を設けたことを特徴とする請求項２記載のエレベーターのピット梯子装置。
【請求項６】
ピット梯子は、折り畳みが可能な複数の梯子部材で構成したことを特徴とする請求項１〜請求項５のいずれかに記載のエレベーターのピット梯子装置。
【発明の詳細な説明】
【技術分野】
【０００１】
この発明は、エレベーターのピット梯子装置の改良に関するものである。
【背景技術】
【０００２】
従来のエレベーターのピット梯子は、梯子本体と、この梯子本体に所定間隔を保持して配設された複数個の踏み段とを、少なくとも具備してなるエレベーター用ピット梯子において、梯子本体を、不使用時にピット床面に縮小させた状態で寝かせて収納し、かつ、使用時に拡張してエレベーター出入口とピット床面との間に斜めに立て掛けるピット床面に寝かせた梯子本体を、ピット床面からエレベーター出入口に引き上げる引上げ手段と、ピット床面に寝かせた梯子本体をピット床面からエレベーター出入口に引き上げる引上げ手段とを備えたものである（例えば、特許文献１参照）。
【０００３】
上記エレベーターのピット梯子によれば、エレベーターのピット側壁に取り付けずに据付作業が簡単となると共に、エレベーター出入口にて、ピット床面に寝かせた梯子本体を、エレベーター出入口とピット床面との間に立て掛けることが可能となる。しかも、エレベーター出入口から離れる方向にずれることなく、エレベーター出入口とピット床面との間に斜めに立て掛けることができる。
【０００４】
【特許文献１】特開２００３−１９２２５３号公報
【発明の開示】
【発明が解決しようとする課題】
【０００５】
しかしながら、上記従来のエレベーターのピット梯子の固定部は、乗場の敷居に対して当接する方向に立て掛けられている。したがって、作業員が該ピット梯子に乗り移る際、まず、乗場に作業員が立った上、出入口に対して反対向き、つまり作業員が後ろ向きになって、ピット梯子に乗り移り、後ろ向きになって踏み段を下降する。このため、作業員の乗場からピット梯子への移動が煩雑であるという課題があった。
【０００６】
この発明は上記のような課題を解決するためになされたもので、乗場からピット悌子への移動を簡易にできるエレベーターのピット梯子装置を提供することを目的とするものである。
【課題を解決するための手段】
【０００７】
この発明に係るエレベーターのビット梯子装置は、昇降路ピットに収納され、複数の踏段が設けられた梯子昇降面を最下階の乗場出入口面と直交するように配置されたピット梯子と、昇降路ピットの床面に設けられ、ピット梯子の一端部を回動自在に支持する回動支持部と、ピット梯子の他端部に前記踏段と平行に設けられ、要時に最下階の乗場出入口方向に移動して乗場出入口上に載置係合する梯子ストッパー部材とを備えたものである。
【０００８】
また、昇降路ピットに収納され、複数の踏段が設けられた梯子昇降面を最下階の乗場出入口面と直交するように配置されたピット梯子と、昇降路ピットの床面に設けられ、ピット梯子の一端部を回動自在に支持する回動支持部と、最下階の乗場の下部に収納され、要時に昇降路側に突出するように移動されてピット梯子の他端部を載置係合する梯子ストッパー部材とを備えたものである。
【０００９】
更にまた、ピット梯子の他端部と最下階の乗場出入口下部との間に設けられ、要時に昇降路ピットの床面に寝かせた状態のピット梯子の他端部をピット床面から最下階の乗場出入口に引き上げる引き上げ部材を備えたものである。
【発明の効果】
【００１０】
この発明によれば、ピット梯子の昇降面を最下階の乗場出入口面と直交するように配置しているので、保守作業者は最下階の乗場出入口に対して真っ直ぐ進み、横向きなってピット梯子に乗り移ることができる。したがって、保守作業者が乗場からピット梯子への移動を簡易にできるという効果がある。また、ピット床面に寝かせた状態の梯子をピット床面からエレベーター出入口に引き上げる引上げ部材を設けたので、簡易に梯子の一端を乗場まで持ち上げることができるという効果がある。
【発明を実施するための最良の形態】
【００１１】
実施の形態１.
図１はこの発明の実施の形態１におけるエレベーターのピット梯子装置を示す平面図、図２はこの発明の実施の形態１におけるエレベーターのピット梯子装置の使用状態を示す昇降路ピット内から見た正面図、図３はこの発明の実施の形態１におけるエレベーターのピット梯子装置の使用状態を示す昇降路ピット内から見た側面図である。
【００１２】
図において、１はエレベーターの最下階の乗場出入口、２は昇降路ピット、３はピット床面、４は通常はピット床面２ａに寝かされているピット梯子で、要時に起こされてピット床面３と最下階の乗場出入口１との間に立て掛けられる。このピット梯子４は、立て掛けられた時、長手方向に延びる左右縦枠のうちの一方が最下階の乗場出入口端に接触し他方が乗場出入口１から離れており、該ピット梯子４の上り下りする昇降面が乗場出入口１面と直交するように設置されるものである。５はピット梯子４の左右縦枠間の昇降面に設けられた複数の踏段、６はピット床面３に設けられた回動支持台で、上記ピット梯子４の下端部をピン７により回動自在に支持している。８はピット梯子４の上端部に踏段５と平行に設けられた水平方向に移動可能な梯子ストッパー部材で、ピット梯子４が立て掛けられた時、最下階の乗場出入口１端に接触している縦枠から外方に突出移動して乗場出入口１上に載置係合されることにより、ピット梯子４のストッパーとなる。９は一端がピット梯子４の上端部に連結され、他端が最下階の乗場出入口１の下部側面に固定された引き上げ部材としての引き上げロープで、最下階の乗場出入口１から保守作業員１０が引き上げ操作するものである。
【００１３】
次に、上記のように構成されたエレベーターのピット悌子装置の使い方について説明する。今、ピット梯子４が図２の一点鎖線に示すように、ピット床面３に寝かせてある状態から、保守作業員１０が引き上げロープ９の他端部を持って図２の矢印に示すように、ピット梯子４を回動支持台６によりピン７を支点として回動させて、ピット梯子４の上端部を最下階の乗場出入口１の端面よりも上まで移動する。この状態において、保守作業員１０はピット梯子４の上端部の梯子ストッパー部材８を水平方向に移動し、図３に示すように、乗場出入口１の敷居端面上に梯子ストッパー部材８を載置するようにする。これにより、保守作業者１０は、最下階の乗場出入口１に対して真っ直ぐ進み、その後、身体を横向きにして、乗場出入口１面と直交するように設置されたピット梯子４の上端部の昇降面に乗り移り、ピット梯子４の踏段５を利用して下降し、ビット床面３に到着することができる。また、昇降路ピット２での保守作業が終了したら、保守作業員１０は、ピット梯子４を登って最下階の乗場出入口１に出る。そして、梯子ストッパー部材８を元の引き込み状態に戻してから、引き上げロープ９の他端部を持って、図２の矢印と反対方向に引き下げ、ピット梯子４を図２の一点鎖線に示すように、ピット床面３に寝かせた状態に戻す。
【００１４】
以上のように、この実施の形態１によれば、保守作業員は、乗場出入口に対して真っ直ぐ進み、横向きなってピット梯子に乗り移ることができるので、保守作業員が乗場からピット梯子への移動を簡易にできるという効果がある。また、ピット床面に寝かせたピット梯子をピット床面から乗場出入口に引き上げる引き上げ部材を設けたので、簡易に梯子の一端を乗場まで持ち上げることができるという効果がある。
【００１５】
実施の形態２.
図４はこの発明の実施の形態２におけるエレベーターのピット梯子装置を示す平面図、図５はこの発明の実施の形態２におけるエレベーターのピット梯子装置の使用状態を示す昇降路ピット内から見た正面図、図６はこの発明の実施の形態２におけるエレベーターのピット梯子装置の梯子ストッパー部材を昇降路壁に畳んで収納した状態を示す昇降路ピット内から見た正面図、図７は図６のＡ−Ａ線に沿った断面図、図８は梯子ストッパー部材を回動して展開した使用状態を示す平面図である。なお、実施の形態１と同一又は相当部分に同一符号を付して説明を省略する。
【００１６】
上記実施の形態１では、通常はピット床面２ａに寝かされているピット梯子４を折り畳みできない構成としたが、この実施の形態２においては、ピット梯子４を中央部で折り畳みが可能な第１梯子部４ａと第２梯子部４ｂの２部材構成としたものである。なお、ピット梯子４は２部材構成に限らず、複数の梯子部材で構成しても良いことはもちろんである。また、上記実施の形態１では、ピット梯子４の上端部に水平方向に移動可能な梯子ストッパー部材８を一体的に設け、ピット梯子４が立て掛けられた時、最下階の乗場出入口端に接触している縦枠から外方に突出して乗場出入口１上に載置係合するようにしたが、この実施の形態２においては、最下階の乗場出入口１の下側部に、通常は図６、図７に示すように、昇降路壁側に畳まれて収納状態となる梯子ストッパー部材１１をピット梯子４とは別体として設け、ピット梯子４の要時に最下階の乗場出入口１上から保守作業員１０が上記梯子ストッパー部材１１を９０度回動させることにより、図４、図５、図８に示すように、昇降路側に突出させるようにしたものである。これにより、通常はピット床面３に寝かせてある折り畳み状態のピット梯子４を引き上げロープ９の他端部を持って引き上げることにより折り畳み状態から展開・展長させて、ピット梯子４の上端部を最下階の乗場出入口１の端面よりも上まで移動する。この状態において、保守作業員１０はピット梯子４の上端部を乗場出入口１の下側部の９０度回動された梯子ストッパー部材１１上に載置するようにする。
【００１７】
最下階の乗場出入口１の下側部には、空所１２を形成すると共に、該空所１２に上記梯子ストッパー部材１１を収納している。この空所１２には、上下二つの板部材１３が梯子ストッパー部材１１を上下から挟むように設けられている。この板部材１３には孔が穿設され、該孔にピン１４を挿通して梯子ストッパー部材１１の一端部を回動自在に取り付けている。また、上記梯子ストッパー部材１１の他端部には取手１５が取り付けられており、乗場出入口１の上から保守作業員１０が掴んで回動操作できるようにしている。
また、梯子ストッパー部材１１には、梯子ストッパー部材１１の回動を助ける弾性部材としてのバネ１６の一端が固定され、該バネ１６の他端は最下階の乗場出入口１の下側固定部に連結固定されている。また、梯子ストッパー部材１１が９０度以上回動するのを阻止する回動阻止部材１７が板部材１３に対してピン１４と平行になるように立設されている。
【００１８】
次に、上記のように構成されたエレベーターのピット悌子装置の使い方について説明する。今、ピット梯子４が図５の一点鎖線に示すように、折り畳まれてピット床面３に寝かせてある状態から、保守作業員１０が引き上げロープ９の他端部を持ってピット梯子４を引き上げ、折り畳み状態から第１梯子部４ａと第２梯子部４ｂを展開・展長させ、かつ回動支持台６によりピン７を支点として回動させて、図５の実線に示すように、ピット梯子４の上端部を最下階の乗場出入口１の端面よりも上まで移動する。この状態において、保守作業員１０は図６、図７に示すように、最下階の乗場出入口１上から梯子ストッパー部材１１の取手１５を掴んで回動を助ける弾性部材としてのバネ１６により９０度回動させて、図５に示すように、梯子ストッパー部材１１上にピット梯子４の上端部を載置する。これにより、保守作業者１０は、最下階の乗場出入口１に対して真っ直ぐ進み、その後、身体を横向きにして、乗場出入口１面と直交するように設置されたピット梯子４の上端部の昇降面に乗り移り、ピット梯子４の踏段５を利用して下降し、ビット床面３に到着することができる。また、昇降路ピット２での作業が終了したら、保守作業員１０は、ピット梯子４を登って最下階の乗場出入口１に出る。そして、最下階の乗場出入口１上から梯子ストッパー部材１１の取手１５を掴んで反対方向に９０度回動させて、梯子ストッパー部材１１を元の収納状態に戻してから、引き上げロープ９の他端部を持って、ピット梯子４を図５の一点鎖線に示すように、ピット床面３に寝かせた状態に戻す。
【００１９】
以上のように、この実施の形態２によれば、実施の形態１と同等の効果が得られると共に、ピット梯子を折り畳みが可能な複数の梯子部材で構成したので、ピット梯子の占有面積を小さくすることができる。また、梯子ストッパー部材に回動を助ける弾性部材を設けたので、簡単に梯子ストッパー部材を回動できるという効果がある。
【図面の簡単な説明】
【００２０】
【図１】この発明の実施の形態１におけるエレベーターのピット梯子装置を示す平面図である。
【図２】この発明の実施の形態１におけるエレベーターのピット梯子装置の使用状態を示す昇降路ピット内から見た正面図である。
【図３】この発明の実施の形態１におけるエレベーターのピット梯子装置の使用状態を示す昇降路ピット内から見た側面図である。
【図４】この発明の実施の形態２におけるエレベーターのピット梯子装置を示す平面図である。
【図５】この発明の実施の形態２におけるエレベーターのピット梯子装置の使用状態を示す昇降路ピット内から見た正面図である。
【図６】この発明の実施の形態２におけるエレベーターのピット梯子装置の梯子ストッパー部材を昇降路壁に畳んで収納した状態を示す昇降路ピット内から見た正面図である。
【図７】図６のＡ−Ａ線に沿った断面図である。
【図８】梯子ストッパー部材を回動して展開した使用状態を示す平面図である。
【符号の説明】
【００２１】
１  最下階の乗場出入口
２  昇降路ピット
３  ピット床面
４  ピット梯子
４ａ  第１梯子部
４ｂ  第２梯子部
５  踏段
６  回動支持台
７  ピン
８  梯子ストッパー部材
９  引き上げ部材（ロープ）
１０  保守作業員
１１  梯子ストッパー部材
１２  空所
１３  板部材
１４  ピン
１５  取手
１６  弾性部材（バネ）
１７  回動阻止部材
【図１】
2007276959.tif 000003
【図２】
2007276959.tif 000004
【図３】
2007276959.tif 000005
【図４】
2007276959.tif 000006
【図５】
2007276959.tif 000007
【図６】
2007276959.tif 000008
【図７】
2007276959.tif 000009
【図８】
2007276959.tif 000010